(57)【要約】  ＣＳ型電話通信のための誘起型応答方法及びシステムである。電気通信ネットワーク(3)上で通信するためのユーザ端末(5)は、回線交換型ベアラサービス上で受信及び送信されるＣＳ型電話信号(CS1, CS2)を処理するためのＣＳ電話装置(CS0)を少なくとも備える。ユーザ端末は、着呼の入来ＣＳ警報信号(CS1)と関連付けられている付加応答関連信号(PS1; CS3)を受信するように構成される。さらに、ユーザ端末は、付加応答関連信号に含まれる、もしくはそこから得られる情報に応答して、応答信号又はＣＳ応答信号(CS2)を回線交換型ベアラサービス上で送信するように構成される。
2009521184.tif 000002
【特許請求の範囲】
【請求項１】
回線交換型ベアラサービス上で受信及び送信されるＣＳ型電話信号(CS1, CS2)を処理するためのＣＳ電話装置(CS0)を少なくとも備え、電気通信ネットワーク(3)上で通信するためのユーザ端末(5)であって、
着呼の入来ＣＳ警報信号(CS1)と関連付けられている付加応答関連信号(PS1; CS3)を受信するように構成されるとともに、
前記付加応答関連信号に含まれる、もしくは前記付加応答関連信号から得られる情報に応答して、応答信号又はＣＳ応答信号(CS2)を、前記回線交換型ベアラサービス上で送信するように構成されることを特徴とするユーザ端末。
【請求項２】
前記付加応答関連信号が、前記回線交換型ベアラサービス上の付加回線交換型信号(CS3)を含み、
前記ＣＳ電話装置(CS0)が、前記付加回線交換型信号(CS3)からの情報に応答する有限状態機械(FSM)を備えると共に、前記有限状態機械が、前記ユーザ端末の状態(20)を前記着呼についてアクティブ状態(30)に変更するとともに、受け入れ信号(A2)を前記ＣＳ電話装置(CS0)に提供するように構成され、前記ＣＳ電話装置が、前記ＣＳ応答信号(CS2)を送信するように構成されることを特徴とする請求項１記載のユーザ端末(5)。
【請求項３】
前記付加応答関連信号がパケット交換型ベアラサービス上の付加パケット交換型信号(PS1)を含み、
前記ユーザ端末は、着呼のＣＳ警報信号(CS1)に関連付けられるとともに前記着呼の情報を有する、前記付加パケット交換型信号(PS1)を、前記パケット交換型ベアラサービス上で受信するパケット交換型データ処理装置(PS0)を備え、
前記付加パケット交換型信号に含まれる、もしくは前記付加パケット交換型信号から得られる情報に応答して、応答信号又はＣＳ応答信号(CS2)を、前記回線交換型ベアラサービス上で送信するように構成されることを特徴とする請求項１記載のユーザ端末(5)。
【請求項４】
前記ＣＳ電話装置(CS0)が、前記付加パケット交換型信号(PS1)からの情報に応答する有限状態機械(FSM)を備えると共に、前記有限状態機械が、前記ユーザ端末の状態(20)を前記着呼についてアクティブ状態(30)に変更するとともに、前記ＣＳ応答信号(CS2)を送信するように構成されることを特徴とする請求項３記載のユーザ端末(5)。
【請求項５】
前記パケット交換型データ処理装置(PS0)が、パケット交換型信号を処理するための処理アプリケーション(HA)であって、前記付加パケット交換型信号(PS1)から情報信号(ACS; HS; RS)を取得可能な処理アプリケーションと、前記有限状態機械(FSM)の入力と接続された前記処理アプリケーションの出力とを備え、前記有限状態機械は、前記情報信号を受信すると共に、自身の状態(20)を前記受信した情報信号に従って変更するように構成されることを特徴とする請求項３又は請求項４記載のユーザ端末(5)。
【請求項６】
前記情報信号が、前記有限状態機械(FSM)に、他の進行中の呼のアクティブ状態(30)を保留状態(45)に変更(H1)させるとともに、前記着呼を前記アクティブ状態(30)にさせる保留信号(HS)であることを特徴とする請求項５記載のユーザ端末(5)。
【請求項７】
前記有限状態機械(FSM)が、前記ＣＳ電話装置(CS0)に受け入れ信号(A2)を提供するように構成され、前記ＣＳ電話装置がさらに、前記他の進行中の呼の少なくとも１つの端末及び前記着呼の端末(6)に、前記進行中の呼及び前記着呼についての呼状態(30,45)の変更に関するメッセージをそれぞれ送信するように構成されることを特徴とする請求項６記載のユーザ端末(5)。
【請求項８】
前記情報信号が、前記有限状態機械(FSM)に、経過後に前記着呼について前記”アクティブ”状態(30)に変更する時間を判別させるとともに、前記ＣＳ応答信号(CS2)を送信させる呼び出し遅延信号(RS)であることを特徴とする請求項５記載のユーザ端末(5)。
【請求項９】
局所的に実行可能な少なくとも１つのアプリケーションを提供する追加装置(D0)と、前記追加装置の入力と接続される前記処理アプリケーション(HA)の別の出力とをさらに有し、
前記処理アプリケーションが、前記付加パケット交換型信号(PS1)から招待信号(IS1)を抽出し、前記招待信号を前記追加装置に送信するように構成されることを特徴とする請求項５乃至請求項８のいずれか１項に記載のユーザ端末(5)。
【請求項１０】
前記追加装置(D0)が、
- 前記着呼に関する情報を前記ユーザ端末(5)のユーザに提示するため、前記少なくとも１つの局所的に実行可能なアプリケーションによって前記招待信号(IS1)を処理し、
- ユーザフィードバック信号(FS)を受信し、
- 前記パケット交換型ベアラサービス上でさらなるフィードバック信号(FS)が送信されるようにする、
ように構成されることを特徴とする請求項９記載のユーザ端末(5)。
【請求項１１】
前記ＣＳ電話装置(SC0)が、前記フィードバック信号(SF)の送信に応答して付加回線交換型信号(CS3)を受信するように構成され、
前記有限状態機械(FSM)が前記付加回線交換型信号の受信に応答して、前記着呼についての自身の状態を”アクティブ”状態(30)に変更するように構成されることを特徴とする請求項１０記載のユーザ端末(5)。
【請求項１２】
ＣＳ型電話信号(CS1,CS2)を受信及び送信するための少なくとも１つの回線交換型ベアラサービスであって、ユーザ端末(5)への着呼のＣＳ警報信号(CS1)を送信するように構成された回線交換型ベアラサービスを備えた、電気通信ネットワーク(3)上のネットワークサービス(NS)であって、
前記着呼のＣＳ警報信号(CS1)に関連付けられるとともに、前記ユーザ端末に前記回線交換型ベアラサービス上で応答信号又はＣＳ応答信号(CS2)を提供させるように構成された付加応答関連信号(PS1;CS3)を、前記ユーザ端末へ送信するように構成されるネットワークサービス。
【請求項１３】
回線交換型ベアラサービス上で受信及び送信されるＣＳ型電話信号(CS1, CS2)を処理するためのＣＳ電話装置(CS0)を備え、電気通信ネットワーク(3)上で通信するための発呼端末(6)であって、
ユーザ端末(5)との発信呼に関して送信されるＣＳ呼設定信号(CS1)に関連付けられるとともに、前記発信呼に関する情報を有する付加応答関連信号(PS1; CS3)であって、前記受信側ユーザ端末に応答信号又はＣＳ応答信号(CS2)を前記回線交換型ベアラサービス上で提供させる付加応答関連信号を送信するように構成されることを特徴とする発呼端末(6)。
【請求項１４】
電気通信ネットワーク(3)上で通信するための方法であって、
- 回線交換型ベアラサービス上で受信及び送信されるＣＳ型電話信号(CS1, CS2)を処理する工程と、
- 着呼の入来ＣＳ警報信号(CS1)と関連付けられている付加応答関連信号(PS1; CS3)を受信する工程と、
- 前記付加応答関連信号に含まれる、もしくは前記付加応答関連信号から得られる情報に応答して、応答信号又はＣＳ応答信号(CS2)を前記回線交換型ベアラサービス上で送信する工程とを有することを特徴とする方法。
【請求項１５】
前記付加応答関連信号(PS1; CS3)からの前記情報に応答して、
- 前記着呼についての状態(20)をアクティブ状態(30)に変更する工程と、
- 前記応答信号又はＣＳ応答信号(CS2)を送信する工程とを有することを特徴とする請求項１４記載の方法。
【請求項１６】
さらに、
- 前記付加応答関連信号(PS1; CS3)を処理する工程と、前記付加応答関連信号(PS1; CS3)から情報信号(ACS; HS; RS)を取得する工程と、
- 前記着呼についての前記状態(20)を、前記取得された情報信号に従って変更する工程とを有することを特徴とする請求項１４又は請求項１５記載の方法。
【請求項１７】
前記情報信号(HS)に応答して、
- 他の進行中の呼のアクティブ状態(30)を保留状態(45)に変更する(H1)工程と、
- 前記着呼を前記アクティブ状態(30)にする(H2)工程と、
- 呼状態(30, 45)の前記変更に関するメッセージを、前記他の進行中の呼の端末及び／又は前記着呼の端末(6)に送信する工程とをさらに有することを特徴とする請求項１６記載の方法。
【請求項１８】
さらに、
- 前記付加応答関連信号(PS1)から招待信号(IS1)を抽出する工程と、
- 前記着呼に関する情報をユーザに提示するため、前記招待信号(IS1)を処理する工程と、
- ユーザフィードバック信号(FS)を受信する工程と、
- 前記ユーザフィードバック信号の前記受信に応答して、さらなるフィードバック信号(SF)が送信されるようにする工程と、
- 前記フィードバック信号(SF)の前記送信に応答して、付加回線交換型信号(CS3)を受信する工程とを有することを特徴とする請求項１４記載の方法。
【請求項１９】
電気通信ネットワーク(3)上で通信するためのユーザ端末(5)のためのコンピュータプログラムであって、前記ユーザ端末はＣＳ型電話信号(CS1,CS2)を処理するためのＣＳ電話装置(CS0)を少なくとも備え、前記ＣＳ型電話信号は回線交換型ベアラサービス上で受信及び送信され、前記ユーザ端末はさらに処理ユニット及び前記処理ユニットに接続されたメモリを備え、前記コンピュータプログラムは、ロードされた後、前記処理ユニットに前記ユーザ端末の：
- 着呼の入来ＣＳ警報信号(CS1)と関連付けられた付加応答関連信号(PS1; CS3)を受信し、
- 前記付加応答関連信号に含まれる、もしくは前記付加応答関連信号から得られる情報に応答して、応答信号又はＣＳ応答信号(CS2)を前記回線交換型ベアラサービス上で送信する、
機能を制御することを可能にすることを特徴とするコンピュータプログラム。
【請求項２０】
請求項１９記載のコンピュータプログラムのためのデータ記録媒体。
【発明の詳細な説明】
【技術分野】
【０００１】
本発明は請求項１に規定されるユーザ端末に関する。本発明はまた、ＣＳ型電話通信に応答するための方法に関する。加えて、本発明はネットワーク交換（又はネットワークサービスあるいはネットワークアプリケーションサーバ）及び、発呼端末に関する。
本発明はさらに、ユーザ端末用のコンピュータプログラムに関する。
【背景技術】
【０００２】
回線交換型（ＣＳ）電話通信において、話者間の呼設定はいくつかの工程を含んでいる。呼は、第２の話者ＢのＢ端末の電話番号を、自身のＡ端末でダイヤルする第１の話者Ａによって開始される。そして、電話通信ネットワークは、ダイヤルされた電話番号の情報を用いてその呼をＢ端末へルーティングする。次に、その呼は、Ｂ端末で生成される信号により、話者Ｂに通知される。そして、話者ＢはＢ端末を操作して呼に応答することができる。Ｂ端末はネットワークに、呼が受け入れられたことを通知する。Ｂ端末によって応答がなされた後、呼はＡ端末及びＢ端末間で接続され、話者Ａと話者Ｂとの間の音声通信が確立される。
【０００３】
この呼の設定は、有線ネットワーク及び移動体ネットワークの両方で実施される。Ａ端末及びＢ端末の両方が、有線電話又は携帯電話であってよい。
【０００４】
移動体ＣＳ電話通信に関する仕様が知られている(GSM TS 04.07 7.3.0版、6.2章)には、呼の設定、進行中並びに切断の期間における電話機の有限状態機械の状態のシーケンスが記載されている。図１は、従来技術におけるＣＳ呼状態図１の一部を示している。電話機（Ｂ端末）の有限状態機械は、様々な状態のいくつかになりうる。通常、電話機がアイドルで通信していない場合、電話機の状態は”空き(Null)”状態１０である。
【０００５】
ネットワークから、Ａ端末による呼要求が入来信号として受信されうる。この信号により、有限状態機械はその状態を”呼受信”状態２０へ移す。有限状態機械は、いくつかの中間状態１５を通じて、”呼受信”状態２０へ到達する。この状態で、端末Ｂのユーザ(話者Ｂ）は着呼の通知を受ける。例えばＢ端末のキーパッドの”応答(acknowledge)”キーを押すなどにより、ユーザが応答を発すると、有限状態機械は、Ａ端末の話者ＡとＢ端末の話者Ｂとの間の音声通信が実行可能なアクティブ状態３０に変化する。着呼に対するユーザの応答動作は、点線の矢印によって”呼受信状態”２０に接続されているブロックＡ１により模式的に図示されている。
【０００６】
有限状態機械は、中間状態２５を通じて、”アクティブ”状態３０へ到達する。同時に、音声通信フェーズを確立するため、ＣＳ呼応答信号が交換機へ返送される。呼が切断されると、有限状態機械は、おそらくいくつかの別の中間状態３５を通じて”空き”状態１０に変化する。この際、呼の切断が交換機へ通知される。
【０００７】
従来技術において、話者ＢにはＢ端末の操作を実行（例えば”応答”ボタンを押下）して、Ｂ端末をアクティブにすることが要求される。
【０００８】
着呼に応答するための上述した方法は、電話機の使い勝手及び機能性を不利に制限している。すなわち、従来技術の方法はユーザ向け(user-directed)サービスを制限しうる。
【発明の開示】
【０００９】
本発明の１つの目的は、従来技術に対して改善された応答機能を有する端末を提供することにある。
【００１０】
この目的を達成するため、本発明は、回線交換型ベアラサービス上で受信及び送信されるＣＳ型電話信号を処理するためのＣＳ電話装置を少なくとも備え、電気通信ネットワーク上で通信するためのユーザ端末であって、着呼の入来ＣＳ警告信号に関連付けられた付加応答関連信号を受信するように構成されるとともに、付加応答関連信号に含まれる(又はそこから得られる）情報に応答して、応答信号又はＣＳ応答信号を回線交換型ベアラサービス上で送信するように構成されるユーザ端末を提供する。
【００１１】
有利なことに、本発明は、ユーザ端末での着呼に対するユーザ操作を必要としない、自動応答の可能性を提供する。
【００１２】
本発明はまた、ＣＳ型電話信号を受信及び送信するための少なくとも１つの回線交換型ベアラサービスであって、ユーザ端末への着呼のＣＳ警報信号を送信するように構成された回線交換型ベアラサービスを備える、電気通信ネットワークにおけるネットワークサービスであって、着呼のＣＳ警報信号に関連付けられ、ユーザ端末に応答信号又はＣＳ応答信号を回線交換型ベアラサービス上で提供させるように構成された付加応答関連信号をユーザ端末へ送信するように構成されるネットワークサービスに関する。
【００１３】
さらに、本発明は、回線交換型ベアラサービス上で受信及び送信されるＣＳ型電話信号を処理するための少なくとも１つのＣＳ電話装置を備え、電気通信ネットワーク上で通信するための発呼端末又はＡ端末であって、ユーザ端末による発信呼のために送信されるＣＳ呼設定信号と関連付けられ、発信呼の情報を有する付加応答関連信号であって、それを受信するユーザ端末に応答信号又はＣＳ応答信号を回線交換型ベアラサービス上で提供させる付加応答関連信号を送信するように構成される発呼端末又はＡ端末に関する。
【００１４】
さらに、本発明は、電気通信ネットワーク上で通信するための方法であって、
- 回線交換型ベアラサービス上で受信及び送信されるＣＳ型電話信号を処理する工程と、着呼の入来ＣＳ警報信号に関連付けられた付加応答関連信号を受信する工程と、
- 付加応答関連信号に含まれる、もしくはそこから得られる情報に応答して、応答信号又はＣＳ応答信号を回線交換型ベアラサービス上で送信する工程とを有する方法に関する。
【００１５】
本発明はまた、電気通信ネットワーク(3)上で通信するためのユーザ端末であって、回線交換型ベアラサービス上で受信及び送信されるＣＳ型電話信号を処理するための少なくとも１つのＣＳ電話装置を備えるユーザ端末のためのコンピュータプログラムであって、
ユーザ端末はさらに、処理部及び、処理部に接続されたメモリを備え、コンピュータプログラムは読み込まれた後、処理部にユーザ端末の以下の機能を制御することを可能にする：
- 着呼の入来ＣＳ警報信号に関連付けられた付加応答関連信号を受信し、
- 付加応答関連信号に含まれる、もしくはそこから得られる情報に応答して、応答信号又はＣＳ応答信号を回線交換型ベアラサービス上で送信する機能。
【００１６】
以下、本発明の例示的な実施形態を示すいくつかの図面を参照して、本発明をより詳細に説明する。本技術分野に属する当業者は、本発明の範囲内で他の代替的もしくは等価的な実施形態を着想し、実施に帰することが可能であること及び、本発明の範囲が特許請求の範囲によってのみ限定されることを理解するであろう。
複数の図を通じて、他の図に示されるものと同一の参照数字を有する構成は同一の構成を示す。
【発明を実施するための最良の形態】
【００１７】
図２は、従来の端末２における応答手順を模式的に示す図である。
【００１８】
端末２は一般には携帯電話だが、有線電話機であってもよい。端末２は、電気通信ネットワーク３上で通信するように構成されている。
【００１９】
電子機器としての端末２は、ＣＳ型電話信号を処理するように構成されたＣＳ電話装置ＣＳ０を備えている。ＣＳ型電話信号は、例えば、ＧＳＭ(Global System for Mobile communications)で用いられるようなＤＴＡＰ(Direct Transfer Application Part)プロトコルを用いて実現することができる。さらに、端末２はグラフィカルユーザインタフェース(GUI)を提供するとともに、局所的に、かつおそらくは（但し必須ではない）GUI内部で実施されうる１つ又は複数のアプリケーションの実行を提供するように構成されうる追加装置Ｄ０を備えることができる。追加装置(further device)Ｄ０は通常、データ及び／又は複数のアプリケーションを格納するためのメモリを備えている。
【００２０】
ＣＳ電話装置ＣＳ０には、ＣＳ型電話機能を管理可能な有限状態機械ＦＳＭが存在する。
【００２１】
端末２について示される応答手順は図１のＣＳ呼状態図と一致する。
【００２２】
ネットワーク３から端末２へ、着呼についての呼要求を通知するためのＣＳ警報信号ＣＳ１が与えられる。図１に関して上述したように、有限状態機械ＦＳＭは端末２のユーザに着呼通知を提供する。
【００２３】
ユーザは、ここで動作信号Ａ１として図示されるように、例えば”応答”ボタンを押下する操作により応答する。
【００２４】
ユーザ操作による信号Ａ１は有限状態機械ＦＳＭに与えられる。有限状態機械ＦＳＭは受入信号Ａ２により、”アクティブ”状態３０における音声通信のための準備を行う。この際、呼が応答されたことを通知するためにＣＳ型応答信号ＣＳ２がネットワーク３へ送信され、発呼端末又はＡ端末(図示せず）との音声通信７が開始される。
【００２５】
図３は本発明に係るユーザ端末５を示す図である。
【００２６】
図３において、先の図と同一の参照数字を有する構成は同一の構成を示す。
【００２７】
本発明では、ＣＳ警報信号ＣＳ１に関連して（ネットワーク３上の）パケット交換ネットワークソースの付加パケット交換型信号ＰＳ１が本発明のユーザ端末５に与えられた際に、ユーザ端末５によって自動応答が提供されうるものと認識する。
【００２８】
本発明のユーザ端末５は、ＣＳ電話装置ＣＳ０及びパケット交換型データ処理装置ＰＳ０が含まれる電子回路を備える。装置ＣＳ０及びＰＳ０は点線の四角で模式的に示されている。さらに、ユーザ端末５は、上述の通り、グラフィカルユーザインタフェース（ＧＵＩ）及びこのＧＵＩに関連した（局所的に実行可能な）アプリケーションを提供するように構成されうる追加装置Ｄ０を含むことができる。
【００２９】
パケット交換型信号ＰＳ１は、例えばインターネットプロトコル（ＩＰ）を用いて実現される。
【００３０】
ＣＳ電話装置ＣＳ０の内部には、有限状態機械ＦＳＭが設けられている。
【００３１】
パケット交換型データ処理装置ＰＳ０の内部には、パケット交換型信号を処理するための処理アプリケーションＨＡが設けられている。さらに、ＰＳ０には、付加パケット交換型信号ＰＳ１に関するデータを記憶するための記憶装置又はメモリＭＰが設けられても良い。
【００３２】
処理アプリケーションＨＡは、処理アプリケーションＨＡから有限状態機械ＦＳＭへ情報信号を送信するために、有限状態機械ＦＳＭへの接続４０を出力として有する。処理アプリケーションは付加パケット交換型信号ＰＳ１から情報を取得することができる。そのような情報信号には少なくとも応答制御信号ＡＣＳが含まれる。
【００３３】
詳細は後述するが、有限状態機械ＦＳＭは、処理アプリケーションＨＡから受信した応答制御信号ＡＣＳに関連して自身の状態を変更することができる。
【００３４】
ネットワーク３上のネットワークサービス（又はネットワークアプリケーションサーバ）ＮＳは、ＣＳ警報信号ＣＳ１を付加パケット交換型信号ＰＳ１とともにユーザ端末５へ提供することができる。
【００３５】
ネットワーク３内で、信号ＣＳ１及びＰＳ１はそれぞれのベアラサービス上で伝送される。ＣＳ警報信号ＣＳ１は第１の回線交換型のベアラサービス上で伝送される。パケット交換型信号ＰＳ１は第２のパケット交換型のベアラサービス上で伝送される。
【００３６】
ＣＳ警報信号ＣＳ１はＣＳ電話装置ＣＳ０へ導かれる。ＣＳ警報信号ＣＳ１は、図１及び図２に関して上述したように、有限状態機械ＦＳＭとの相互作用を有するであろう。有限状態機械ＦＳＭは自身の状態を（ビジーでなければ）呼受信状態２０へ変更するであろう。
【００３７】
有限状態機械ＦＳＭは、ＣＳ警報信号ＣＳ１の受信と連動して、付加パケット交換型信号ＰＳ１を予期するように構成される。一実施形態において、有限状態機械ＦＳＭはＣＳ警報信号ＣＳ１から、そのような付加パケット交換型信号ＰＳ１を予期すべきであることを取得する。これは例えば、受信した発呼者回線識別信号(Caller Line Identity signal)又はＣＳ警報信号ＣＳ１の変形物に基づいて実現可能である。ＣＳ警報信号が関連するネットワークサービスに関するものか、関連する付加パケット交換型信号ＰＳ１を予期可能かを判定するため、受信した発呼者回線識別信号又はＣＳ警報信号ＣＳ１の変形物をメモリＭＰに記憶されたデータと比較することができる。別の実施形態において、有限状態機械ＦＳＭは、関連する付加パケット交換型信号ＰＳ１の受信を、（固定された）所定の時間内に受信することを予期するように構成されてもよい。付加パケット交換型信号ＰＳ１を予期しながら、有限状態機械ＦＳＭはユーザへの（聴覚的、視覚的又は触覚的な）警報の生成を遅延するように構成されてもよい。所定の時間はＣＳ警報信号ＣＳ１及びパケット交換型信号ＰＳ１が実質的に同時にユーザ端末５で受信されるようなものであってよい。
【００３８】
また、パケット交換型信号ＰＳ１がＣＳ警報信号ＣＳ１より前に到着するが、対応するＣＳ警報信号ＣＳ１の到着まで保留されるようにしてもよい。
【００３９】
受信後、付加パケット交換型信号ＰＳ１はパケットデータ処理装置ＰＳ０内の処理アプリケーションＨＡへ導かれる。付加パケット交換型信号ＰＳ１は”継続中”のＣＳ警報信号ＣＳ１に関する応答関連データを少なくとも含んでいる。処理アプリケーションＨＡは、ネットワークサービスがユーザ端末５による自動応答の実行を要求しているか否かを、パケット交換型信号ＰＳ１内の応答関連データから判別するように構成される。
【００４０】
自動応答が要求されている場合、処理アプリケーションＨＡは、有限状態機械ＦＳＭへの接続４０上で応答制御信号ＡＣＳを提供することができる。
【００４１】
応答制御信号ＡＣＳを受信すると、有限状態機械ＦＳＭは自身の状態を”呼受信”状態２０から中間状態２５を通じて”アクティブ”状態３０へ遷移させて変更する。
【００４２】
この結果、ユーザ端末５は、懸案の呼が応答されたというＣＳ応答信号ＣＳ２をネットワーク３へ提供する。音声通信７の開始が可能になる。
【００４３】
上述の方法において、付加パケット交換型信号ＰＳ１は、ＣＳ電話装置ＣＳ０のための、ネットワーク誘起型(network induced)の応答を提供する。
【００４４】
本発明によれば、”呼受信”状態２０から”アクティブ”状態３０への遷移は、（付加パケット交換型信号ＰＳ１によって与えられる）ネットワーク誘起型応答又は、ユーザ端末５の移動終端ユーザ(mobile terminated user)による呼受け入れを発端として開始される。
【００４５】
確立された呼の続きは、図１及び図２に関して上述した通りであってよい。
【００４６】
図４は本発明に係るユーザ端末５の有限状態機械のためのＣＳ呼状態図４を示している。
【００４７】
ユーザ端末５の有限状態機械ＦＳＭは、ＣＳ呼状態においてプリミティブＡＣＳを受け付ける能力を有することを除き、従来技術の有限状態機械と非常に似ている。プリミティブＡＣＳは処理アプリケーションＨＡによって生成された応答制御信号ＡＣＳから得られる。プリミティブＡＣＳは、点線で示すように、有限状態機械ＦＳＭを”呼受信”状態２０から”アクティブ”状態３０へ変化するように促すことができる。
【００４８】
ユーザ端末５による自動応答を実行すべきであることの、処理アプリケーションＨＡによる判別ステップは、ＣＳ警報信号ＣＳ１及び付加パケット交換型信号ＰＳ１が何らかの方法により関連付けされることを必要とする。例えば、付加パケット交換型信号ＰＳ１が、通常ＣＳ警報信号ＣＳ１に含まれている話者Ａの発呼回線識別情報（ＣＬＩ）のような、ＣＳ警報信号ＣＳ１に関するデータを含んでもよい。また、ＣＳ警報信号ＣＳ１が、付加パケット交換型信号ＰＳ１が一緒に送信されることを示す何らかのデータを含んでもよい。
【００４９】
さらに、処理アプリケーションは、付加パケット交換型信号ＰＳ１から、ＣＳ警報信号ＣＳ１及び付加パケット交換型信号ＰＳ１の組み合わせを送信したネットワークサービスＮＳのＩＤを取得することができる。
【００５０】
加えて処理アプリケーションは、付加パケット交換型信号ＰＳ１から、ネットワークサービスＮＳに関する認証情報を取得することもでき、処理アプリケーションＨＡがネットワークサービスＮＳの認証を確認することを可能にする。このようにして、ユーザ端末５のユーザは、ネットワークサービス３のIDを確実に知ることができる。
【００５１】
最後に、付加パケット交換型信号ＰＳ１のデータは、ネットワークサービスＮＳがその呼に対してユーザ端末５が自動的に応答すべきと要求した”理由”を示す負荷情報を含んでもよい。
【００５２】
信号ＰＳ１に含まれる、識別、認証、及び”理由”の少なくとも１つのための情報は、どのネットワークサービスが自動応答を許されるかについて、処理アプリケーションＨＡがサービスフィルタＦＬを適用することを可能にする。
【００５３】
サービスフィルタＦＬは、付加パケット交換型信号ＰＳ１内の、信号ＰＳ１を送信又は生成したネットワークサービスＮＳの識別及び／又は認証目的のための上述した情報に関連付けられたデータを備える。
【００５４】
サービスフィルタＦＬは例えばユーザ端末５上の（おそらくはＧＵＩを用いた）アプリケーションによってユーザが定義してもよい。ユーザは、ユーザ端末５が着呼に対して自動的に応答することを許可する１つ又は複数のネットワークサービスＮＳを定義するためにそのアプリケーションを用いることができる。アプリケーションは、着呼に対して自動応答を生成しうるか否かを判別する処理の間に処理アプリケーションＨＡが利用するためにアクセス可能なサービスフィルタリングデータを規定することができる。サービスフィルタリングデータは通常、サービスフィルタＦＬに関連付けられたメモリ内に保存される。
【００５５】
一実施形態において、ユーザ端末５は、ＣＳ警報信号ＣＳ１及び付加パケット交換型信号ＰＳ１の両方を、入来メッセージに関してユーザに通知することなく自動的に処理するよう（すなわち、無音警報パターンを有するよう）に構成される。この処理は、例えば、ＳＩＭアプリケーションツールキット(SAT)及びＭＥｘＥのような移動体端末用アプリケーションを用いて実行することができる。処理アプリケーションＨＡはＪ２ＭＥのようなアプリケーションプログラミングインタフェースを用いることができる。しかし、代替プロトコル及びプログラミング環境もまた等しく好適でありうることを本発明の技術分野に属する当業者は理解するであろう。
【００５６】
着呼の実際の性質（及びその信頼性）に応じて、本発明はＣＳ警報信号ＣＳ１と付加パケット交換型信号ＰＳ１との組み合わせを、ネットワークサービスＮＳ又は話者ＡのＡ端末のいずれかが生成することを可能にする。
【００５７】
図５は本発明の応答方法に係る信号フローを示す図である。
【００５８】
本実施形態において、ＣＳ警報信号ＣＳ１及び付加パケット交換型信号ＰＳ１の組み合わせは、ネットワーク３上のネットワークサービスＮＳによって生成される。
【００５９】
呼設定は、ＣＳ警報信号ＣＳ１（又は一般的には、ＣＳ呼設定）をネットワーク３上に送信するＡ端末６によって開始される。ネットワーク３において、ネットワークサービスＮＳは付加パケット交換型信号ＰＳ１を生成し、付加パケット交換型信号ＰＳ１はユーザ端末５（又は詳細を示していないＢ端末５）へ、ＣＳ警報信号ＣＳ１とともに送信される。上述の通り、ＣＳ警報信号ＣＳ１は無音警報パターンがユーザ端末５へ送信されるように変更されてもよい。
【００６０】
上述したように、ユーザ端末５は、ＣＳ警報信号ＣＳ１及び付加パケット交換型信号ＰＳ１の組み合わせにおいて受信される情報に基づいて自動応答（ＣＳ応答ＣＳ２）を生成する。ＣＳ応答ＣＳ２は、音声通信７を確立するため、ネットワーク３及びＡ端末６へ送信される。
【００６１】
図６は本発明の応答方法に係る別の信号フローを示す図である。
【００６２】
本実施形態において、ＣＳ警報信号ＣＳ１及び付加パケット交換型信号ＰＳ１の組み合わせは、Ａ端末６によって生成される。
【００６３】
ＣＳ警報信号ＣＳ１及び付加パケット交換型信号ＰＳ１はいずれもＡ端末で生成され、ネットワーク３を介してユーザ端末５へ送信される。この場合、ネットワーク３はＣＳ１及びＰＳ１の両方に対して透過的に振る舞う。なお、ＣＳ呼設定又はＡ端末６で生成されるＣＳ警報信号ＣＳ１は、無音警報パターンを含みうることに留意されたい。
【００６４】
上述したように、ユーザ端末５は、ＣＳ警報信号ＣＳ１及び付加パケット交換型信号ＰＳ１の組み合わせにおいて受信される情報に基づいて自動応答を（ＣＳ応答ＣＳ２によって）生成する。ＣＳ応答ＣＳ２は、音声通信７を確立するため、ネットワーク３及びＡ端末６へ送信される。
【００６５】
図７ａ，７ｂ，７ｃは本発明の応答方法に係るさらに別の信号フローを示す図である。
【００６６】
図７ａの実施形態において、ユーザ端末５は着呼を、ネットワーク３上のネットワークサービスＮＳから、ＣＳ警報信号ＣＳ１と付加回線交換型信号ＣＳ３とともに受信する。
【００６７】
ネットワークサービスＮＳはＣＳ警報信号ＣＳ１に加え、ネットワーク誘起型応答信号ＣＳ３を生成する。
【００６８】
ネットワーク誘起型応答信号ＣＳ３は、ＣＳドメイン内の信号である。
【００６９】
ＣＳ警報信号ＣＳ１はＣＳ電話装置ＣＳ０へ導かれる。ＣＳ警報信号ＣＳ１は、図１及び図２に関して上述したように、有限状態機械ＦＳＭとの相互作用を有するであろう。有限状態機械ＦＳＭは自身の状態を（ビジーでなければ）”呼受信”状態２０へ変更するであろう。
【００７０】
有限状態機械ＦＳＭは、ＣＳ警報信号ＣＳ１の受信と連動して、付加回線交換型信号ＣＳ３を予期するように構成される。有限状態機械ＦＳＭはＣＳ警報信号ＣＳ１から、そのような付加回線交換型信号ＣＳ３を予期すべきであることを取得する。
【００７１】
付加回線交換型信号ＣＳ３を予期しながら、有限状態機械ＦＳＭはユーザへの（聴覚的、視覚的又は触覚的な）警報の生成を、付加回線交換型信号（又はネットワーク誘起型応答信号）ＣＳ３がユーザ端末５で受信されるであろう所定時間、遅延するように構成されてもよい。
【００７２】
また、回線交換型信号ＣＳ３がＣＳ警報信号ＣＳ１より前に到着するが、対応するＣＳ警報信号ＣＳ１の到着まで保留されるようにしてもよい。
【００７３】
受信後、付加回線交換型信号ＣＳ３もまた有限状態機械ＦＳＭへ導かれる。付加回線交換型信号ＣＳ３は”継続中”のＣＳ警報信号ＣＳ１に関する応答関連データを少なくとも含むことができる。
【００７４】
有限状態機械ＦＳＭは、ネットワークサービスがユーザ端末５による自動応答の実行を要求しているか否かを、付加回線交換型信号ＣＳ３から判別するように構成されることができる。
【００７５】
自動応答が要求されている場合、有限状態機械ＦＳＭは自身の状態を”呼受信”状態２０から１つ以上の中間状態２５を通じて”アクティブ”状態３０へ遷移させて変更し、ＣＳ応答ＣＳ２をネットワーク３（ネットワークサービスＮＳ）へ送信する。
【００７６】
次いで、音声通信７の開始が可能になる。
【００７７】
図７ａの実施形態において、ユーザ端末５は着呼を、網３上のネットワークサービスＮＳから、ＣＳ警報信号ＣＳ１と付加回線交換型信号ＣＳ３とともに受信する。
【００７８】
ネットワークサービスＮＳはＣＳ警報信号ＣＳ１に加え、付加回線交換型信号ＣＳ３を生成する。これらはいずれも回線交換型ベアラサービス上で送信可能である。
【００７９】
図７ｂの実施形態において、ユーザ端末５は着呼を、発呼Ａ端末６から、ＣＳ警報信号ＣＳ１と付加回線交換型信号ＣＳ３とともに受信する。
【００８０】
ユーザ端末５に対する着呼を発呼したＡ端末６は、ＣＳ警報信号ＣＳ１に加え、付加回線交換型信号ＣＳ３を生成する。これらはいずれも回線交換型ベアラサービス上で送信可能である。
【００８１】
この場合、ネットワーク３はＣＳ１及びＣＳ３の両方に対して透過的に振る舞う。なお、ＣＳ呼設定又はＡ端末６で生成されるＣＳ警報信号ＣＳ１は、無音警報パターンを含みうることに留意されたい。
【００８２】
図７ａに関して上述したように、有限状態機械ＦＳＭは、ネットワークサービスがユーザ端末５による自動応答の実行を要求しているか否かを、ネットワーク誘起型応答信号ＣＳ３から判別するように構成される。
【００８３】
もしそうであれば、有限状態機械は自身の状態を”呼受信”状態２０から１つ以上の中間状態２５を通じて”アクティブ”状態３０へ遷移させて変更し、ＣＳ応答ＣＳ２をネットワーク３（及びＡ端末６）へ送信することができる。次に、Ａ端末６とユーザ端末５との間の音声通信７が開始可能になる。
【００８４】
図７ｃの実施形態において、ユーザ端末５は着呼を、ＣＳ警報信号ＣＳ１と、招待信号ＩＳ１を含んだ付加パケット交換型信号ＰＳ１とともに受信する。
【００８５】
パケット交換型ベアラサービス上の付加パケット交換型信号ＰＳ１は、図５及び図６に関してそれぞれ上述した通り、ネットワークサービスＮＳ又は発呼Ａ端末６によって生成されることができる。
【００８６】
処理アプリケーションＨＡは招待信号ＩＳ１を付加パケット交換型信号ＰＳ１から抽出し、招待信号ＩＳ１を追加装置Ｄ０へ送信するように構成されている。追加装置Ｄ０は、招待信号ＩＳ１をＧＵＩを用いた何らかのアプリケーションによって処理するように構成されており、このアプリケーションは着呼に関する情報をユーザに提示する。この情報に対するフィードバック信号ＦＳをユーザから受信した後、ユーザ端末はパケット交換型形式のフィードバック信号ＦＳ（に関する情報）を、ＰＳベアラサービス上でネットワークサービスＮＳへ送信する。
【００８７】
ネットワークサービスＮＳは、ユーザ端末５からのフィードバック信号を認識するように構成されている。その結果、ネットワークサービスＮＳは、誘起されたＣＳ応答信号ＣＳ３を回線交換型ベアラサービス上でユーザ端末５へ送信することにより応答し、ユーザ端末のＣＳ０に、招待信号ＩＳ１を含んだパケット交換型信号ＰＳ１とのユーザ相互作用に関して通知する。有限状態機械ＦＳＭはネットワーク誘起型ＣＳ応答ＣＳ３を受信し、自身の状態を”アクティブ”状態３０へ変更する。この結果、ＣＳ電話型装置ＣＳ０はＣＳ応答ＣＳ２をネットワーク３（ネットワークサービスＮＳ及び／又はＡ端末６）へ送信する。
【００８８】
必要であれば、この時点で音声通信７を確立することができる。
【００８９】
図８は、本発明の応答方法の別の実施形態に関する信号図である。
【００９０】
本実施形態において、ＣＳ警報信号ＣＳ１及び付加パケット交換型信号ＰＳ１の組み合わせは、図５に示した実施形態と同様にネットワーク３上のネットワークサービスＮＳによって生成される。
【００９１】
呼設定は、ＣＳ警報信号ＣＳ１をネットワーク３に送信するＡ端末６によって開始される。ネットワーク３において、ネットワークサービスＮＳはパケット交換型ベアラサービス上で付加パケット交換型信号ＰＳ１を生成し、付加パケット交換型信号ＰＳ１はユーザ端末５（又は詳細を示していないＢ端末５）へ、ＣＳ警報信号ＣＳ１とともに送信される。上述の通り、ＣＳ警報信号ＣＳ１は無音警報パターンがユーザ端末５へ送信されるように変更されてもよい。
【００９２】
付加パケット交換型信号ＰＳ１は、自動ＣＳ応答ＣＳ２がネットワーク３へ送信されるまでの呼び出し(ring)の数又は時間についての情報を含んだリング遅延信号ＲＳを有している。処理アプリケーションＨＡは付加パケット交換型信号ＰＳ１を処理し、呼び出し遅延信号ＲＳ情報を抽出する。接続４０上で、処理アプリケーションＨＡは呼び出し遅延信号ＲＳ（に関する情報）を、有限状態機械ＦＳＭへ送信する。有限状態機械ＦＳＭは受信した呼び出し情報から、いくつの呼び出し音の後（又はいつ）”呼受信”状態２０から”アクティブ”状態３０へ変更し、ＣＳ応答信号ＣＳ２をネットワーク３へ送信するかを判別する。
【００９３】
上述の通り、ＣＳ応答ＣＳ２は、音声通信７を確立するため、ネットワーク３及びＡ端末６へ送信される。
【００９４】
図９は、本発明の応答方法の別の実施形態におけるＣＳ呼状態図である。
【００９５】
本発明の本実施形態において、ユーザ端末５は、Ａ端末６に対し、ユーザ端末５と他のＡ端末との間で継続中かもしれない最初の他の呼の会話に”割り込む”特権を与えている。この状況において、本発明は以下に説明するように、”（ネットワーク誘起型の）強制呼保留(forced call hold)”を提供することができる。
【００９６】
”呼保留”の原理はGSM TS 04.83 v.7.0.1に記載されている。GSM TS 04.83の第2.1.5章は、”呼保留”状態について記載している。”呼保留”状態は本明細書において、一般的な”アクティブ”状態３０の一部である補助状態と見なされる。
【００９７】
特権を有するＡ端末６は、ユーザ端末５への呼を設定し、呼設定において”強制呼保留”命令を含ませる。あるいは、ネットワークサービスＮＳが”強制呼保留命令”を、特権を有するＡ端末６の代わりに提供することもできる。この”強制呼保留””命令は、付加パケット交換型信号ＰＳ１として、ＰＳドメイン内のベアラサービス上で搬送される。この”強制呼保留””命令は、ユーザ端末５に受信された際、処理アプリケーションＨＡに、保留信号又は保留プリミティブＨＳを接続４０上で有限状態機械ＦＳＭへ提供させる効果を有することができる。
【００９８】
特権を有するＡ端末の呼が入来した時点におけるユーザ端末５の実際の状態、すなわち、”空き”状態１０（＝アイドル）又は”アクティブ”状態３０（＝ビジー）に応じて、有限状態機械ＦＳＭは保留信号ＨＳの解釈を異ならせることができる。
【００９９】
”空き”状態１０の間、有限状態機械ＦＳＭはその状態を（上述のように）”呼受信”状態２０に変更し、”保留”信号を無視することができる（この場合、着呼は話者Ｂによって、従来技術における通常呼のように取り扱うことができる）。或いは、上述した１つ又は複数の実施形態に従って、有限状態機械ＦＳＭは”保留”信号ＨＳを、着呼に自動応答するためのネットワーク誘起型命令として解釈し、”アクティブ”状態３０へ変更することができる。
【０１００】
しかし、保留信号が最初の他の呼の”アクティブ”状態中に有限状態機械ＦＳＭに入来した際、有限状態機械ＦＳＭは（矢印Ｈ１で示すように）その最初の他の継続中の呼の状態を”保留”状態４５に変更し、特権を有するＡ端末６からの着呼の状態を”アクティブ”状態に変更する（矢印Ｈ２）ように構成される。
【０１０１】
特権を有するＡ端末６からの呼の切断後、有限状態機械は自身の状態を前の状態に復帰させる。すなわち、”保留”されている（”保留”状態にある）最初の他の呼を検索し、”アクティブ”状態へ復帰させる（矢印Ｈ３）。他の呼が存在しなければ、”空き”状態へ変更する。
【０１０２】
他の呼を”アクティブ”状態３０から”保留”状態４５へ遷移させるのも、他の呼を”保留”状態４５から”アクティブ”状態３０へ遷移させるのも、本質的にGSM TS 04.83仕様に従って実行することができる。本発明に係る付加パケット交換型信号ＰＳ１（ネットワーク誘起型信号）は、ユーザ端末５に、動作Ｈ１，Ｈ３のいずれかの実行を命令する。
【０１０３】
”強制呼保留”の包含は、話者Ａにより手動で実行されてもよい。あるいは、”強制呼保留”の包含は、ユーザ端末５のＢ番号の何らかの認識手順によってＡ端末６が自動的に実行してもよい。
【０１０４】
例えば、ユーザ端末５のＢ番号及び、そのＢ番号に対する”強制呼保留””のアプリケーションの表示を、Ａ端末のメモリに保存しておくことができる。ユーザ端末５のＢ番号が発呼された際、Ａ端末は、”強制呼保留”命令を自動的に送信するため、メモリに保存されたデータを用いることができる。
【０１０５】
さらに、付加パケット交換型信号ＰＳ１における（”強制呼保留”命令の）付加情報が、最初の他の呼におけるユーザ端末５及び／又は他のＡ端末で提示されなければならない（個々の端末におけるスピーカでの聴覚的な、又はディスプレイにおける視覚的な）アナウンスへの参照を含むことができる。
【０１０６】
例えば、”保留”状態にされようとしている他のＡ端末の話者が適切なアナウンスを受信することができ、特権を有するＡ端末６の話者と自動的に接続されようとしているユーザ端末５の話者Ｂが適切なアナウンスを受信することができる。これらのアナウンスは異なるものであってよい。アナウンスはＰＳドメインにおけるユーザ端末５からのアナウンス信号に応答して、ネットワークサービスＮＳから提供することができる。
【０１０７】
付加パケット交換型信号ＰＳ１における付加情報はさらに、話者Ｂのユーザ端末５に、規定数の呼び出し（例えば３回の呼び出し音）の後、ネットワーク誘起型の”強制呼保留”が発生することを通知することができる。これにより、話者Ｂは、”応答済み”の代わりに、自身で電話に応答することが可能になる。
【０１０８】
ネットワーク誘起型の”呼保留”は、車で移動中における移動体電話を通じた道順案内中に音声コンテンツを提供するアプリケーションの拡張として有用であろう。ドライバーが道順情報（例えば”高速道路の次の出口”）を予期している際、ドライバーは自身が通話中であってもこの情報を予期している。従って、音声道順情報は進行中の会話を自動的に保留し、おそらくはアナウンスを再生し、切断し、元の通話を復元しなければならない。
【０１０９】
本発明によるユーザ端末５のための方法は、ハードウェア及び／又はソフトウェアで実施可能である。ソフトウェアの場合、ユーザ端末５は処理ユニット及び処理ユニットに接続されるメモリを備える。ユーザ端末５は上述した方法を実行するコンピュータプログラムをロードすることが可能である。コンピュータプログラムをロードした後、ユーザ端末５の処理ユニットは、上述した機能が得られるようにプログラムを実行するように構成される。
【０１１０】
同様に、ソフトウェアプログラムは、ネットワークサービスＮＳ及びＡ端末６に関してそれぞれ上述したような機能を得るために、ネットワークサービス３及び／又は発呼Ａ端末６内部でも利用可能である。
【０１１１】
本発明はユーザ端末５用の様々なアプリケーションで実施可能である。
【０１１２】
第１のＣＳ型アプリケーションにおいて、ユーザ端末５はガイド付きツアーの音声コンテンツを受信するように構成される。ユーザ端末５は、実施形態のいずれか１つに従った任意かつ適切な移動体通信装置であってよい。
【０１１３】
新たなコンテンツが入手可能になる毎（例えばユーザ端末５の位置に応じて）、ＣＳ型アプリケーションは付加パケット交換型信号ＰＳ１によってユーザ端末５への呼を開始する。個々の呼は上述した１つ又は複数の実施形態に従って、ユーザの応答を必要とせず自動応答される。
【０１１４】
別のアプリケーションにおいて、ユーザ端末５は監視電話(babyphone)機能を有するように構成される。ユーザ端末５は子供、例えば乳幼児のいる部屋に設置することができる。ユーザ端末５への呼は全て、その部屋からの音を録音するための通信になる。呼はその呼への自動応答のための付加パケット交換型信号ＰＳ１を含み、さらには無音警報パターンのための命令も含むことができる。
【０１１５】
監視電話は上述したユーザ端末のいずれか１つの実施形態によって実現可能であり、ユーザ端末は回線交換型ベアラサービス上で受信並びに送信されるＣＳ型電話信号ＣＳ１，ＣＳ２を処理するためのＣＳ電話装置ＣＳ０を少なくとも備え、電気通信ネットワーク上で通信するように構成される。ユーザ端末は、着呼の入来ＣＳ警報信号ＣＳ１と関連付けられている付加応答関連信号ＰＳ１；ＣＳ３を受信するように構成される。さらに、ユーザ端末は、付加応答関連信号に含まれる、もしくはそこから得られる情報に応答して、応答信号又はＣＳ応答信号ＣＳ２を回線交換型ベアラサービス上で送信するように構成される。
【０１１６】
別のアプリケーションにおいて、本発明は、上述のようにネットワーク誘起型の呼保留を提供する。Ａ端末６は、本発明のユーザ端末５を呼び出す。ユーザ端末は別の端末との通話中である。上述のように、Ａ端末６は進行中の呼に”割り込む”特権を与えられている。Ａ端末のユーザは”ビジー”信号を受信し、Ａ端末６上で命令を与えることにより、ユーザ端末５に他の呼を保留させ、Ａ端末を音声通信で接続するように強制することができる。この命令は、ユーザ端末５が受信するとＡ端末６に応答させる付加パケット交換型信号ＰＳ１を生成するきっかけを与える。他の呼は保留される。他の呼の話者には、呼が保留されることのメッセージを提示することができる。
【０１１７】
さらに別のアプリケーションにおいて、本発明は、上述のようにネットワーク誘起型の”呼保留”を提供する。Ａ端末６は、本発明のユーザ端末５を呼び出す。ユーザ端末５は別の端末との通話中である。上述のように、Ａ端末６は進行中の呼に”割り込む”特権を与えられている。この場合、Ａ端末におけるユーザ操作は不要である。ビジー信号はＡ端末６の話者には送信されない。付加パケット交換型信号ＰＳ１は呼設定信号と共に直接送信されてもよいし、ユーザ端末５についてビジー信号が検出された際にネットワークサービスＮＳによって生成されてもよい。ユーザ端末５はＡ端末６に応答し、他の呼は”保留”される。他の呼の話者には、呼が”保留”されることのメッセージを提示することができる。
【０１１８】
本発明の具体的な実施形態を説明してきたが、これら実施形態には本発明を限定する意図はない。本発明は他の任意の代替物、変形物又は等価物を統合することができ、添付の特許請求の範囲によってのみ限定される。
【図面の簡単な説明】
【０１１９】
【図１】従来におけるＣＳ呼状態図の一部を示す図である。
【図２】従来の端末における応答手順を模式的に示す図である。
【図３】本発明に係る応答方法を用いることが可能な端末を模式的に示す図である。
【図４】本発明に係るＣＳ呼状態図である。
【図５】本発明の応答方法に係る信号フローを示す図である。
【図６】本発明の応答方法に係る別の信号フローを示す図である。
【図７ａ】、
【図７ｂ】、
【図７ｃ】本発明の応答方法に係るさらに別の信号フローを示す図である。
【図８】本発明の応答方法の別の実施形態に関する信号図である。
【図９】本発明の応答方法の別の実施形態におけるＣＳ呼状態図である。
【図１】
2009521184.tif 000003
【図２】
2009521184.tif 000004
【図３】
2009521184.tif 000005
【図４】
2009521184.tif 000006
【図５】
2009521184.tif 000007
【図６】
2009521184.tif 000008
【図７ａ】
2009521184.tif 000009
【図７ｂ】
2009521184.tif 000010
【図７ｃ】
2009521184.tif 000011
【図８】
2009521184.tif 000012
【図９】
2009521184.tif 000013
【手続補正書】
【提出日】平成19年10月23日(2007.10.23)
【手続補正１】
【補正対象書類名】特許請求の範囲
【補正対象項目名】全文
【補正方法】変更
【補正の内容】
【特許請求の範囲】
【請求項１】
回線交換型ベアラサービス上で受信及び送信されるＣＳ型電話信号(CS1, CS2)を処理するためのＣＳ電話装置(CS0)を少なくとも備え、電気通信ネットワーク(3)上で通信するためのユーザ端末(5)であって、
着呼の入来ＣＳ警報信号(CS1)と関連付けられ、パケット交換型ベアラサービス上の付加パケット交換型信号(PS1)を有する付加応答関連信号(PS1)を所定時間内に受信するように構成されるとともに、
前記付加応答関連信号に含まれる、もしくは前記付加応答関連信号から得られる情報に応答して、応答信号又はＣＳ応答信号(CS2)を、前記回線交換型ベアラサービス上で送信するように構成されることを特徴とするユーザ端末。
【請求項２】
前記付加応答関連信号がパケット交換型ベアラサービス上の付加パケット交換型信号(PS1)を含み、
前記ユーザ端末は、着呼のＣＳ警報信号(CS1)に関連付けられるとともに前記着呼の情報を有する、前記付加パケット交換型信号(PS1)を、前記パケット交換型ベアラサービス上で受信するパケット交換型データ処理装置(PS0)を備え、
前記付加パケット交換型信号に含まれる、もしくは前記付加パケット交換型信号から得られる情報に応答して、応答信号又はＣＳ応答信号(CS2)を、前記回線交換型ベアラサービス上で送信するように構成されることを特徴とする請求項１記載のユーザ端末(5)。
【請求項３】
前記ＣＳ電話装置(CS0)が、前記付加パケット交換型信号(PS1)からの情報に応答する有限状態機械(FSM)を備えると共に、前記有限状態機械が、前記ユーザ端末の状態(20)を前記着呼についてアクティブ状態(30)に変更するとともに、前記ＣＳ応答信号(CS2)を送信するように構成されることを特徴とする請求項２記載のユーザ端末(5)。
【請求項４】
前記パケット交換型データ処理装置(PS0)が、パケット交換型信号を処理するための処理アプリケーション(HA)であって、前記付加パケット交換型信号(PS1)から情報信号(ACS; HS; RS)を取得可能な処理アプリケーションと、前記有限状態機械(FSM)の入力と接続された前記処理アプリケーションの出力とを備え、前記有限状態機械は、前記情報信号を受信すると共に、自身の状態(20)を前記受信した情報信号に従って変更するように構成されることを特徴とする請求項２又は請求項３記載のユーザ端末(5)。
【請求項５】
前記情報信号が、前記有限状態機械(FSM)に、他の進行中の呼のアクティブ状態(30)を保留状態(45)に変更(H1)させるとともに、前記着呼を前記アクティブ状態(30)にさせる保留信号(HS)であることを特徴とする請求項４記載のユーザ端末(5)。
【請求項６】
前記有限状態機械(FSM)が、前記ＣＳ電話装置(CS0)に受け入れ信号(A2)を提供するように構成され、前記ＣＳ電話装置がさらに、前記他の進行中の呼の少なくとも１つの端末及び前記着呼の端末(6)に、前記進行中の呼及び前記着呼についての呼状態(30,45)の変更に関するメッセージをそれぞれ送信するように構成されることを特徴とする請求項５記載のユーザ端末(5)。
【請求項７】
前記情報信号が、前記有限状態機械(FSM)に、経過後に前記着呼について前記”アクティブ”状態(30)に変更する時間を判別させるとともに、前記ＣＳ応答信号(CS2)を送信させる呼び出し遅延信号(RS)であることを特徴とする請求項４記載のユーザ端末(5)。
【請求項８】
局所的に実行可能な少なくとも１つのアプリケーションを提供する追加装置(D0)と、前記追加装置の入力と接続される前記処理アプリケーション(HA)の別の出力とをさらに有し、
前記処理アプリケーションが、前記付加パケット交換型信号(PS1)から招待信号(IS1)を抽出し、前記招待信号を前記追加装置に送信するように構成されることを特徴とする請求項４乃至請求項７のいずれか１項に記載のユーザ端末(5)。
【請求項９】
前記追加装置(D0)が、
- 前記着呼に関する情報を前記ユーザ端末(5)のユーザに提示するため、前記少なくとも１つの局所的に実行可能なアプリケーションによって前記招待信号(IS1)を処理し、
- ユーザフィードバック信号(FS)を受信し、
- 前記パケット交換型ベアラサービス上でさらなるフィードバック信号(FS)が送信されるようにする、
ように構成されることを特徴とする請求項８記載のユーザ端末(5)。
【請求項１０】
前記ＣＳ電話装置(SC0)が、前記フィードバック信号(SF)の送信に応答して付加回線交換型信号(CS3)を受信するように構成され、
前記有限状態機械(FSM)が前記付加回線交換型信号の受信に応答して、前記着呼についての自身の状態を”アクティブ”状態(30)に変更するように構成されることを特徴とする請求項９記載のユーザ端末(5)。
【請求項１１】
ＣＳ型電話信号(CS1,CS2)を受信及び送信するための少なくとも１つの回線交換型ベアラサービスであって、ユーザ端末(5)への着呼のＣＳ警報信号(CS1)を送信するように構成された回線交換型ベアラサービスを備えた、電気通信ネットワーク(3)上のネットワークサービス(NS)であって、
前記着呼のＣＳ警報信号(CS1)に関連付けられ、パケット交換型ベアラサービス上の付加パケット交換型信号(PS1)を有するるとともに、前記ユーザ端末に前記回線交換型ベアラサービス上で応答信号又はＣＳ応答信号(CS2)を提供させるように構成された付加応答関連信号(PS1)を、前記ユーザ端末へ送信するように構成されるネットワークサービス。
【請求項１２】
回線交換型ベアラサービス上で受信及び送信されるＣＳ型電話信号(CS1, CS2)を処理するためのＣＳ電話装置(CS0)を備え、電気通信ネットワーク(3)上で通信するための発呼端末(6)であって、
ユーザ端末(5)との発信呼に関して送信されるＣＳ呼設定信号(CS1)に関連付けられ、パケット交換型ベアラサービス上の付加パケット交換型信号(PS1)を有するとともに、前記発信呼に関する情報を有する付加応答関連信号(PS1)であって、前記受信側ユーザ端末に応答信号又はＣＳ応答信号(CS2)を前記回線交換型ベアラサービス上で提供させる付加応答関連信号を送信するように構成されることを特徴とする発呼端末(6)。
【請求項１３】
電気通信ネットワーク(3)上で通信するための方法であって、
- 回線交換型ベアラサービス上で受信及び送信されるＣＳ型電話信号(CS1, CS2)を処理する工程と、
- 着呼の入来ＣＳ警報信号(CS1)と関連付けられ、パケット交換型ベアラサービス上の付加パケット交換型信号(PS1)を有する付加応答関連信号(PS1)を受信する工程と、
- 前記付加応答関連信号に含まれる、もしくは前記付加応答関連信号から得られる情報に応答して、応答信号又はＣＳ応答信号(CS2)を前記回線交換型ベアラサービス上で送信する工程とを有することを特徴とする方法。
【請求項１４】
前記付加応答関連信号(PS1)からの前記情報に応答して、
- 前記着呼についての状態(20)をアクティブ状態(30)に変更する工程と、
- 前記応答信号又はＣＳ応答信号(CS2)を送信する工程とを有することを特徴とする請求項１３記載の方法。
【請求項１５】
さらに、
- 前記付加応答関連信号(PS1)を処理する工程と、前記付加応答関連信号(PS1; CS3)から情報信号(ACS; HS; RS)を取得する工程と、
- 前記着呼についての前記状態(20)を、前記取得された情報信号に従って変更する工程とを有することを特徴とする請求項１３又は請求項１４記載の方法。
【請求項１６】
前記情報信号(HS)に応答して、
- 他の進行中の呼のアクティブ状態(30)を保留状態(45)に変更する(H1)工程と、
- 前記着呼を前記アクティブ状態(30)にする(H2)工程と、
- 呼状態(30, 45)の前記変更に関するメッセージを、前記他の進行中の呼の端末及び／又は前記着呼の端末(6)に送信する工程とをさらに有することを特徴とする請求項１５記載の方法。
【請求項１７】
さらに、
- 前記付加応答関連信号(PS1)から招待信号(IS1)を抽出する工程と、
- 前記着呼に関する情報をユーザに提示するため、前記招待信号(IS1)を処理する工程と、
- ユーザフィードバック信号(FS)を受信する工程と、
- 前記ユーザフィードバック信号の前記受信に応答して、さらなるフィードバック信号(SF)が送信されるようにする工程と、
- 前記フィードバック信号(SF)の前記送信に応答して、付加回線交換型信号(CS3)を受信する工程とを有することを特徴とする請求項１３乃至請求項１６のいずれか１項に記載の方法。
【請求項１８】
電気通信ネットワーク(3)上で通信するためのユーザ端末(5)のためのコンピュータプログラムであって、前記ユーザ端末はＣＳ型電話信号(CS1,CS2)を処理するためのＣＳ電話装置(CS0)を少なくとも備え、前記ＣＳ型電話信号は回線交換型ベアラサービス上で受信及び送信され、前記ユーザ端末はさらに処理ユニット及び前記処理ユニットに接続されたメモリを備え、前記コンピュータプログラムは、ロードされた後、前記処理ユニットに前記ユーザ端末の：
- 着呼の入来ＣＳ警報信号(CS1)と関連付けられ、パケット交換型ベアラサービス上の付加パケット交換型信号(PS1)を有する付加応答関連信号(PS1)を受信し、
- 前記付加応答関連信号に含まれる、もしくは前記付加応答関連信号から得られる情報に応答して、応答信号又はＣＳ応答信号(CS2)を前記回線交換型ベアラサービス上で送信する、
機能を制御することを可能にすることを特徴とするコンピュータプログラム。
【請求項１９】
請求項１９記載のコンピュータプログラムのためのデータ記録媒体。
【国際調査報告】
2009521184.tif 000014
2009521184.tif 000015
2009521184.tif 000016